(57)【特許請求の範囲】
【請求項１】
複数のレンズを有し、前記複数のレンズは、
物体側より順に、正の屈折力の第１レンズと、負の屈折力の第２レンズと、正の屈折力の第３レンズと、正の屈折力の第４レンズと、物体側に凹面を向けたメニスカス形状の負の屈折力の第５レンズと、からなり、最も物体側に配置されている絞りと、を有し、
前記第２レンズは物体側に凸面を向けたメニスカスレンズであり、
以下の条件式（５）を満足することを特徴とする撮像光学系。
１＜（ｒ８＋ｒ９）／（ｒ８−ｒ９）＜２．７      （５）
ここで、
ｒ８は前記第４レンズの物体側の面の近軸曲率半径、
ｒ９は前記第４レンズの像側の面の近軸曲率半径、
である。
【請求項２】
以下の条件式（１）を満足することを特徴とする請求項１に記載の撮像光学系。
−４．２＜ｆ／ｆ５＜−０．８      （１）
ここで、
ｆ５は前記第５レンズの焦点距離、
ｆは前記撮像光学系全系の焦点距離、
である。
【請求項３】
以下の条件式（２）を満足することを特徴とする請求項１または２に記載の撮像光学系。
−２．７＜（ｒ１０＋ｒ１１）／（ｒ１０−ｒ１１）＜−０．６      （２）
ここで、
ｒ１０は前記第５レンズの物体側の面の近軸曲率半径、
ｒ１１は前記第５レンズの像側の面の近軸曲率半径、
である。
【請求項４】
前記第１レンズは両凸レンズであることを特徴とする請求項１〜３のいずれか一項に記載の撮像光学系。
【請求項５】
以下の条件式（３）を満足することを特徴とする請求項１〜４のいずれか一項に記載の撮像光学系。
−１＜（ｒ２＋ｒ３）／（ｒ２−ｒ３）＜−０．５９      （３）
ここで、
ｒ２は前記第１レンズの物体側の面の近軸曲率半径、
ｒ３は前記第１レンズの像側の面の近軸曲率半径、
である。
【請求項６】
以下の条件式（４）を満足することを特徴とする請求項１〜５のいずれか一項に記載の撮像光学系。
１＜（ｒ４＋ｒ５）／（ｒ４−ｒ５）＜２      （４）
ここで、
ｒ４は前記第２レンズの物体側の面の近軸曲率半径、
ｒ５は前記第２レンズの像側の面の近軸曲率半径、
である。
【請求項７】
前記第４レンズは物体側に凹面を向けたメニスカスレンズであることを特徴とする請求項１〜６のいずれか一項に記載の撮像光学系。
である。
【請求項８】
以下の条件式（６）を満足することを特徴とする請求項１〜７のいずれか一項に記載の撮像光学系。
１．３＜ｆ３／ｆ４＜７．８      （６）
ここで、
ｆ３は前記第３レンズの焦点距離、
ｆ４は前記第４レンズの焦点距離、
である。
【請求項９】
前記撮像光学系において前記第１レンズと、前記第２レンズと、前記第３レンズと、前記第４レンズと、前記第５レンズは、いずれも樹脂により形成されていることを特徴とする請求項１〜８のいずれか一項に記載の撮像光学系。
【請求項１０】
請求項１〜９のいずれか一項に記載の撮像光学系と、
撮像面を有する電子撮像素子を備えたことを特徴とする撮像装置であって、
以下の条件式（７）を満足することを特徴とする撮像装置。
１５°＜αi＜３０°      （７）
ここで、αiは最大像高における主光線の前記撮像面への入射角度である。
【請求項１１】
前記撮像光学系に一体化されたオートフォーカス機構を備えることを特徴とする請求項１０に記載の撮像装置。
【請求項１２】
前記撮像光学系と前記電子撮像素子とを一体化したことを特徴とする請求項１０または１１に記載の撮像装置。
【発明の詳細な説明】
【技術分野】
【０００１】
本発明は、撮像光学系及びそれを用いた撮像装置に関するものである。
【背景技術】
【０００２】
近年、携帯電話の薄型化に伴い、光学系の光軸方向の長さを極限まで薄くしたカメラモジュールが求められている。
また昨今の撮像素子の大型化、高画素化にともない高解像力のレンズが求められている。この要求に応えるために、非球面レンズ５枚で構成された単焦点の光学系が提案されている。
【先行技術文献】
【特許文献】
【０００３】
【特許文献１】特開２００７−２６４１８０号公報
【特許文献２】特開２００７−２９８５７２号公報
【発明の概要】
【発明が解決しようとする課題】
【０００４】
先行例は高性能かつテレセントリック性を確保しつつ光学長の短縮化がなされている。
しかし、これらの光学系はレンズ最大有効径が大きくカメラモジュールの小型化の妨げになっている。
これらのレンズにおいて有効径を小さくした場合、諸収差の影響、特にコマ収差の影響が大きくなるため、小型でありながら高い解像力を持った光学系を実現するのが困難になる。
【０００５】
本発明は、上記に鑑みてなされたものであって、レンズの最大有効径が小さくても、諸収差を良好に補正した撮像光学系及びそれを用いた撮像装置を提供することを目的とする。
【課題を解決するための手段】
【０００６】
上述した課題を解決し、目的を達成するために、本発明の撮像光学系は、
複数のレンズを有し、複数のレンズは、
物体側より順に、正の屈折力の第１レンズと、負の屈折力の第２レンズと、正の屈折力の第３レンズと、正の屈折力の第４レンズと、物体側に凹面を向けたメニスカス形状の負の屈折力の第５レンズと、からなり、最も物体側に配置されている絞りと、を有し、
第２レンズは物体側に凸面を向けたメニスカスレンズであり、
以下の条件式（５）を満足することを特徴とする。
１＜（ｒ８＋ｒ９）／（ｒ８−ｒ９）＜２．７      （５）
ここで、
ｒ８は第４レンズの物体側の面の近軸曲率半径、
ｒ９は第４レンズの像側の面の近軸曲率半径、
である。
【０００７】
また、本発明の好ましい態様によれば、以下の条件式（１）を満足することが望ましい。
−４．２＜ｆ／ｆ５＜−０．８      （１）
ここで、
ｆ５は第５レンズの焦点距離、
ｆは撮像光学系全系の焦点距離、
である。
【０００８】
また、本発明の好ましい態様によれば、以下の条件式（２）を満足することが望ましい。
−２．７＜（ｒ１０＋ｒ１１）／（ｒ１０−ｒ１１）＜−０．６      （２）
ここで、
ｒ１０は第５レンズの物体側の面の近軸曲率半径、
ｒ１１は第５レンズの像側の面の近軸曲率半径、
である。
【０００９】
また、本発明の好ましい態様によれば、第１レンズは両凸レンズであることが望ましい。
【００１０】
また、本発明の好ましい態様によれば、以下の条件式（３）を満足することが望ましい。
−１＜（ｒ２＋ｒ３）／（ｒ２−ｒ３）＜−０．５９      （３）
ここで、
ｒ２は第１レンズの物体側の面の近軸曲率半径、
ｒ３は第１レンズの像側の面の近軸曲率半径、
である。
【００１２】
また、本発明の好ましい態様によれば、以下の条件式（４）を満足することが望ましい。
１＜（ｒ４＋ｒ５）／（ｒ４−ｒ５）＜２      （４）
ここで、
ｒ４は第２レンズの物体側の面の近軸曲率半径、
ｒ５は第２レンズの像側の面の近軸曲率半径、
である。
【００１３】
また、本発明の好ましい態様によれば、第４レンズは物体側に凹面を向けたメニスカスレンズであることが望ましい。
【００１５】
また、本発明の好ましい態様によれば、以下の条件式（６）を満足することが望ましい。
１．３＜ｆ３／ｆ４＜７．８      （６）
ここで、
ｆ３は第３レンズの焦点距離、
ｆ４は第４レンズの焦点距離、
である。
【００１６】
また、本発明の好ましい態様によれば、撮像光学系において第１レンズと、第２レンズと、第３レンズと、第４レンズと、第５レンズは、いずれも樹脂により形成されていることが望ましい。
【００１７】
また、本発明の好ましい態様によれば、上述の撮像光学系と、
撮像面を有する電子撮像素子を備えたことを特徴とする撮像装置であって、
以下の条件式を満足することが望ましい。
１５°＜αi＜３０°      （７）
ここで、αiは最大像高における主光線の撮像面への入射角度である。
【００１８】
また、本発明の好ましい態様によれば、撮像光学系に一体化されたオートフォーカス機構を備えることが望ましい。
【００１９】
また、本発明の好ましい態様によれば、撮像光学系と電子撮像素子とを一体化したことが望ましい。
【発明の効果】
【００２０】
本発明によれば、レンズの最大有効径が小さくても、諸収差を良好に補正した撮像光学系及びこれを有する撮像装置を提供することができるという効果を奏する。
【図面の簡単な説明】
【００２１】
【図１】本発明の実施例１にかかる撮像光学系の無限遠物点合焦時の光学構成を示す光軸に沿う断面図である。
【図２】実施例１にかかる撮像光学系の無限遠物点合焦時における球面収差（ＳＡ）、非点収差（ＡＳ）、歪曲収差（ＤＴ）、倍率色収差（ＣＣ）を示す図である。
【図３】本発明の実施例２にかかる撮像光学系の無限遠物点合焦時の光学構成を示す光軸に沿う断面図である。
【図４】実施例２にかかる撮像光学系の無限遠物点合焦時における球面収差（ＳＡ）、非点収差（ＡＳ）、歪曲収差（ＤＴ）、倍率色収差（ＣＣ）を示す図である。
【図５】本発明の実施例３にかかる撮像光学系の無限遠物点合焦時の光学構成を示す光軸に沿う断面図である。
【図６】実施例３にかかる撮像光学系の無限遠物点合焦時における球面収差（ＳＡ）、非点収差（ＡＳ）、歪曲収差（ＤＴ）、倍率色収差（ＣＣ）を示す図である。
【図７】本発明の実施例４にかかる撮像光学系の無限遠物点合焦時の光学構成を示す光軸に沿う断面図である。
【図８】実施例４にかかる撮像光学系の無限遠物点合焦時における球面収差（ＳＡ）、非点収差（ＡＳ）、歪曲収差（ＤＴ）、倍率色収差（ＣＣ）を示す図である。
【図９】本発明の実施例５にかかる撮像光学系の無限遠物点合焦時の光学構成を示す光軸に沿う断面図である。
【図１０】実施例５にかかる撮像光学系の無限遠物点合焦時における球面収差（ＳＡ）、非点収差（ＡＳ）、歪曲収差（ＤＴ）、倍率色収差（ＣＣ）を示す図である。
【図１１】本発明によるズーム光学系を組み込んだデジタルカメラ４０の外観を示す前方斜視図である。
【図１２】デジタルカメラ４０の後方斜視図である。
【図１３】デジタルカメラ４０の光学構成を示す断面図である。
【図１４】本発明の撮像光学系が対物光学系として内蔵された情報処理装置の一例であるパソコン３００のカバーを開いた状態の前方斜視図である。
【図１５】パソコン３００の撮影光学系３０３の断面図である。
【図１６】パソコン３００の側面図である。
【図１７】本発明の撮像光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００２２】
実施例の説明に先立ち、本実施形態の撮像光学系の作用効果について説明する。
【００２３】
本実施形態の撮像光学系は、物体側より順に、正の屈折力の第１レンズと、負の屈折力の第２レンズと、正の屈折力の第３レンズと、正の屈折力の第４レンズと、物体側に凹面を向けたメニスカス形状の負の屈折力の第５レンズと、最も物体側に配置されている絞りと、を有することを特徴とする。
【００２４】
このように構成することで、主点の位置を光学系の物体側に位置させることができる。これにより、焦点距離に対して全長を十分に小さくすることが可能となり、全長短縮が実現できる。
【００２５】
また、第４レンズを正とすることで、軸外光束の発散を第４レンズで抑えることができる。これにより、光学系のテレセントリック性を確保しつつ最終レンズ径を小さくすることができる。
【００２６】
また、第５レンズを物体側に凹面を向けたメニスカス形状にする。これにより、レンズ面に入射する軸外光線の角度を、物体側の面と像面側の面の両方で小さくすることができるため、コマ収差の発生を抑えることができる。
【００２７】
また、最も物体側に絞りを配置している。これにより、射出瞳を像面から離すことができ、光学系のテレセントリック性を確保しつつレンズの有効径を小さくすることができる。
なお、後述する実施例では、絞りは第１レンズの像側の面よりも物体側、より具体的には、第１レンズの物体側の面と像側の面の間に位置している。このような絞りの位置も、「最も物体側に絞りを配置する」に含まれるものとする。
【００２８】
また、本実施形態の撮像光学系は、以下の条件式（Ａ）を満足することが望ましい。
φｍａｘ／２Ｙ＜１．７８       （Ａ）
ここで、
φｍａｘは最大レンズ有効径、
Ｙは最大像高、
である。
条件式（Ａ）は、最大レンズの有効径について規定している。
【００２９】
また、本実施形態の撮像光学系は、以下の条件式（Ｂ）を満足することが望ましい。
０．０１＜１／ν２−１／ν１＜０．０３      （Ｂ）
ここで、
ν１は第１レンズのアッベ数（ｎd1−1）／（ｎF1−ｎC1）、
ν２は第２レンズのアッベ数（ｎd2−1）／（ｎF2−ｎC2）、
ｎd1、ｎC1、ｎF1は各々第１レンズのｄ線、Ｃ線、Ｆ線の屈折率、
ｎd2、ｎC2、ｎF2は各々第２レンズのｄ線、Ｃ線、Ｆ線の屈折率、
である。
条件式（Ｂ）は第１レンズと第２レンズのアッベ数に関する関係式である。条件式（Ｂ）を満足することで、色収差を良好に補正できる。
【００３０】
また、本実施形態の撮像光学系は、以下の条件式（１）を満足することが望ましい。
−４．２＜ｆ／ｆ５＜−０．８      （１）
ここで、
ｆ５は第５レンズの焦点距離、
ｆは撮像光学系全系の焦点距離、
である。
【００３１】
条件式（１）を満足することで、全長を短くしつつ、諸収差、特に倍率色収差を補正することができる。
条件式（１）の値が上限値を上回った場合、第５レンズの負の屈折力が弱くなってしまう。このようになると、主点の位置を光学系の物体側に位置させるのが困難になる。このため、全長の短縮が困難になってしまう。
条件式（１）の値が下限値を下回った場合、レンズ系における第５レンズの負の屈折力が強くなってしまう。このようになると、第１レンズから第４レンズまでに発生した諸収差、特に倍率色収差の補正が困難になる。
【００３２】
さらに、条件式（１）に代えて、以下の条件式（１’）を満足すると良い。
−３．１＜ｆ／ｆ５＜−１．１       （１’）
さらに、条件式（１）に代えて、以下の条件式（１”）を満足するとなお良い。
−２．７＜ｆ／ｆ５＜−１．３      （１”）
【００３３】
また、本実施形態の撮像光学系は、以下の条件式（２）を満足することが望ましい。
−２．７＜（ｒ１０＋ｒ１１）／（ｒ１０−ｒ１１）＜−０．６      （２）
ここで、
ｒ１０は第５レンズの物体側の面の近軸曲率半径、
ｒ１１は第５レンズの像側の面の近軸曲率半径、
である。
【００３４】
条件式（２）を満足することで、第５レンズ（像側の面）と撮像面との距離を、撮像面周辺部においても十分に確保することができる。また、光学系のテレセントリック性を保ちつつ第５レンズの有効径を小さくしても、コマ収差を良好に補正することができる。
【００３５】
条件式（２）の下限値を下回った場合、第５レンズの物体側面の負のパワーが強くなりすぎる。このようになると、第５レンズの主点の位置が物体側に寄ってしまう。このため、バックフォーカス長が短くなってしまう。その結果、光学系のテレセントリック性を保ちつつ、第５レンズの有効径を小さくすることが困難になる。
【００３６】
条件式の上限値を上回った場合、第５レンズの像側の面の曲率半径が大きくなる。このようになると、第５レンズの像側の面、特に周辺部の面位置を物体側に寄せることができない。このため、撮像面周辺部において、像側の面と撮像面との距離が短くなってしまう。その結果、光学系のテレセントリック性を保ちつつ、第５レンズの有効径を小さくすることが困難になる。
また、条件式（２）の上限値を上回った場合、第５レンズの像側の面の曲率半径が大きくなりすぎる。このようになると、軸外光束の第５レンズの像側の面に対する入射角が大きくなるので、コマ収差補正が困難になる。
【００３７】
さらに、条件式（２）に代えて、以下の条件式（２’）を満足すると良い。
−２＜（ｒ１０＋ｒ１１）／（ｒ１０−ｒ１１）＜−０．８      （２’）
さらに、条件式（２）に代えて、以下の条件式（２”）を満足するとなお良い。
−１．７＜（ｒ１０＋ｒ１１）／（ｒ１０−ｒ１１）＜−０．９      （２”）
【００３８】
また、本実施形態の撮像光学系では、第１レンズは両凸レンズであることが望ましい。
【００３９】
第１レンズを両凸形状にすることにより、コマ収差の発生が小さくなり、かつ光学系の短縮化が可能になる。
【００４０】
また、本実施形態の撮像光学系は、以下の条件式（３）を満足することが望ましい。
−１＜（ｒ２＋ｒ３）／（ｒ２−ｒ３）＜−０．５９      （３）
ここで、
ｒ２は第１レンズの物体側の面の近軸曲率半径、
ｒ３は第１レンズの像側の面の近軸曲率半径、
である。
【００４１】
条件式（３）は第１レンズの形状を規定する式である。
条件式（３）の下限値を下回ると、第１レンズの物体側の面の曲率半径は小さくなる。このようになると、第１レンズの物体側の面への光線入射角度は急になる。このため、第１レンズで発生するコマ収差が大きくなる。
特に、条件式（Ａ）の条件を満足した上で条件式（３）の下限値を下回ると、第３レンズから第５レンズにおいて、このコマ収差を補正するのが困難となるので、高性能を維持するのが難しくなる。
【００４２】
また、条件式（３）の上限値を上回ると、第１レンズの物体側の面の曲率半径は大きくなるので、逆に像側の面の曲率半径が小さくなる。このようになると、光学系全体で主点の位置を物体側に寄せることが難しくなる。その結果、光学系全体の短縮化が困難になる。
【００４３】
さらに、条件式（３）に代えて、以下の条件式（３’）を満足すると良い。
−０．９５＜（ｒ２＋ｒ３）／（ｒ２−ｒ３）＜−０．６１      （３’）
さらに、条件式（３）に代えて、以下の条件式（３”）を満足するとなお良い。
−０．９＜（ｒ２＋ｒ３）／（ｒ２−ｒ３）＜−０．７      （３”）
【００４４】
また、本実施形態の撮像光学系は、第２レンズは物体側に凸面を向けたメニスカスレンズであることが望ましい。
【００４５】
第２レンズを物体側に凸面を向けたメニスカス形状にすることにより、色収差を良好に補正でき、かつコマ収差、像面湾曲といった軸外収差を良好に補正できる。
【００４６】
また、本実施形態の撮像光学系は、以下の条件式（４）を満足することが望ましい。
１＜（ｒ４＋ｒ５）／（ｒ４−ｒ５）＜２      （４）
ここで、
ｒ４は第２レンズの物体側の面の近軸曲率半径、
ｒ５は第２レンズの像側の面の近軸曲率半径、
である。
【００４７】
条件式（４）は第２レンズの形状を規定する式である。
条件式（４）の下限値を下回ると、第２レンズの像側の面の曲率半径は大きくなる。このようになると、第２レンズからの光線の射出角度を大きくすることができなくなる。その結果、第２レンズと第３レンズでの軸外光束の光線高の差が小さくなるので、コマ収差や高次の像面湾曲の補正が困難になってしまう。
条件式（３）の上限値を上回ると、第２レンズの主点位置が像側に寄りすぎてしまう。このようになると、第１レンズと第２レンズの主面間距離が大きくなりすぎてしまう。その結果、軸上色収差と倍率色収差とを両方補正することが困難になる。
なお、条件式（Ｂ）を満足した上で条件式（４）を満足しない（下限値を下回るか上限値を上回る）場合、上記の補正がより困難となる。
【００４８】
さらに、条件式（４）に代えて、以下の条件式（４’）を満足すると良い。
１．１＜（ｒ４＋ｒ５）／（ｒ４−ｒ５）＜１．９      （４’）
さらに、条件式（４）に代えて、以下の条件式（４”）を満足するとなお良い。
１．２＜（ｒ４＋ｒ５）／（ｒ４−ｒ５）＜１．７      （４”）
【００４９】
また、本実施形態の撮像光学系は、第４レンズは物体側に凹面を向けたメニスカスレンズであることが望ましい。
【００５０】
第４レンズを物体側に凹面を向けたメニスカス形状にすることによって、コマ収差の発生を小さく抑えることができる。
【００５１】
また、本実施形態の撮像光学系は、以下の条件式（５）を満足することが望ましい。
１＜（ｒ８＋ｒ９）／（ｒ８−ｒ９）＜２．７      （５）
ここで、
ｒ８は第４レンズの物体側の面の近軸曲率半径、
ｒ９は第４レンズの像側の面の近軸曲率半径、
である。
【００５２】
条件式（５）を満足すると、第４レンズの物体側及び像側の面への光線の入射角度を、小さく抑えることができる。その結果、コマ収差の補正が良好に行えると共に、光学系のテレセントリック性を保ちつつ短縮化を実現することができる。
条件式（５）の下限値を下回った場合、第４レンズの物体側面及び像側面の曲率半径が大きくなりすぎる。このようになると、軸外光束の第４レンズの物体側面及び像側面に対する入射角が大きくなるので、コマ収差補正が困難になる。
なお、第４レンズのパワーを一定に保とうとすると、上述の現象が顕著になる。
条件式（５）の上限値を上回った場合、第４レンズ像側面のパワーが大きくなりすぎてしまう。このようになると、第４レンズからの射出角が小さくなる。このため、光学系の全長の短縮化とテレセントリック性の確保との両立が困難になる。
【００５３】
さらに、条件式（５）に代えて、以下の条件式（５’）を満足すると良い。
１．１＜（ｒ８＋ｒ９）／（ｒ８−ｒ９）＜２．６      （５’）
さらに、条件式（５）に代えて、以下の条件式（５”）を満足するとなお良い。
１．２＜（ｒ８＋ｒ９）／（ｒ８−ｒ９）＜２．４      （５”）
【００５４】
また、本実施形態の撮像光学系は、以下の条件式（６）を満足することが望ましい。
１．３＜ｆ３／ｆ４＜７．８      （６）
ここで、
ｆ３は第３レンズの焦点距離、
ｆ４は第４レンズの焦点距離、
である。
【００５５】
第５レンズの径に制限が無く、その位置を像側に近づけても良い場合、第４レンズも像側に配置できる。そうすると、第３レンズと第４レンズの間隔を広くできる。そのため、第３レンズからの射出角が小さくても、第３レンズにおける光束の射出位置と第４レンズにおける光束の入射位置の差を大きくすることができる。その結果、第４レンズと第５レンズを使って、徐々に光束の射出角を小さくすることができる。
【００５６】
条件式（６）を満足すると、第３レンズと第４レンズの屈折力の配分を適正に分配することができる。その結果、光学系のテレセントリック性を確保し、光学長の短縮化にともなう偏心感度の悪化を緩和化することができる。
【００５７】
条件式（６）の下限値を下回った場合、第３レンズの屈折力が大きくなるので、軸外光束が第３レンズからの射出する際、その射出角が小さくなってしまう。このようになると、この軸外光束を撮像面周辺部に結像させるためには、第４レンズや第５レンズからの射出角を大きくせざるを得なくなってしまう。その結果、撮像面周辺部に入射する光線の角度が大きくなってしまい、周辺光量の低下を回避することが困難になってしまう。
【００５８】
本実施形態の撮像光学系では、第５レンズの直径が最も大きい。この第５レンズの径を小さくしようとすると、第５レンズをなるべく物体側に配置することが必要となる。ところが、第５レンズを物体側に配置すると、第４レンズも物体側に位置するため、第３レンズと第４レンズの間が狭くなる。そのため、上記のように、第３レンズからの光束の射出角度が小さいと、第３レンズと第４レンズの間で生じる光束の変位（第３レンズにおける光束の射出位置と第４レンズにおける光束の入射位置の差）が小さくなる。この結果、第４レンズや第５レンズからの射出角が大きくなるという問題がさらに顕著になる。
条件式（６）の上限値を上回った場合、第３レンズに比べ第４レンズの屈折力が大きくなりすぎてしまう。このようになると、第４レンズの偏心感度が高くなるため好ましくない。
【００５９】
さらに、条件式（６）に代えて、以下の条件式（６’）を満足すると良い。
１．７＜ｆ３／ｆ４＜５．８      （６’）
さらに、条件式（６）に代えて、以下の条件式（６”）を満足するとなお良い。
２＜ｆ３／ｆ４＜５      （６”）
【００６０】
また、本実施形態の撮像光学系は、撮像光学系において第１レンズと、第２レンズと、第３レンズと、第４レンズと、第５レンズは、いずれも樹脂により形成されていることが望ましい。
【００６１】
樹脂を用いることで安価な撮像レンズを提供できる。
【００６２】
また、本実施形態の撮像装置によれば、上述の撮像光学系と、
撮像面を有する電子撮像素子を備えたことを特徴とする撮像装置であって、
以下の条件式を満足することを特徴とする。
１５°＜αi＜３０°      （７）
ここで、αiは最大像高における主光線の撮像面への入射角度である。
【００６３】
条件式（７）は、光学系から射出した光線の撮像素子への入射角度の適切な範囲を規定している。
【００６４】
固体撮像素子にＣＣＤ等を用いる場合に、光学系から射出された軸外光束が撮像面（の法線）に対して大きな角度で入射すると、画像中央部と周辺部で画像の明るさが変化してしまう。また撮像面への入射角度が小さいと、この問題は解決されるが、光学系の全長が長くなってしまう。そのため条件式（７）を満足することが望ましい。
【００６５】
また、本実施形態の撮像装置、撮像光学系に一体化されたオートフォーカス機構を備えることが望ましい。
オートフォーカス機構を搭載することによって、あらゆる被写体距離において合焦することができる。
【００６６】
また、本実施形態の撮像装置、撮像光学系と電子撮像素子とを一体化したことが望ましい。
電子撮像素子を一体化することで、撮像光学系による光学像を電気信号化することがでる。また、角度αiによる画像中央部と周辺部で画像の明るさの変化を軽減できる電子撮像素子を選択し、小型且つ高性能な撮像装置を提供できる。
【００６７】
以下に、本実施形態の撮像光学系及び電子撮像装置の実施例を図面に基づいて詳細に説明する。なお、この実施例によりこの発明が限定されるものではない。また、屈折力の正負は、近軸曲率半径に基づく。また、絞りは最も物体側に位置している。ただし、上述のように、絞りは、第１レンズの像側面よりも物体側、より具体的には、第１レンズＬ１の物体側の面と像側の面の間に位置している。
【００６８】
次に、実施例１にかかる撮像光学系について説明する。図１は実施例１にかかる撮像光学系の無限遠物点合焦時の光学構成を示す光軸に沿う断面図である。
【００６９】
図２は実施例１にかかる撮像光学系の無限遠物点合焦時における球面収差（ＳＡ）、非点収差（ＡＳ）、歪曲収差（ＤＴ）、倍率色収差（ＣＣ）を示す図である。また、ＦＩＹは像高を示している。なお、収差図における記号は、後述の実施例においても共通である。
【００７０】
実施例１の撮像光学系は、図１に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負の屈折力の第５レンズＬ５を有している。なお、以下全ての実施例において、レンズ断面図中、ＣＧはカバーガラス、Ｉは電子撮像素子の撮像面を示している。
【００７１】
第１レンズＬ１は、両凸正レンズである。第２レンズＬ２は、物体側に凸面を向けた負メニスカスレンズである。第３レンズＬ３は、像面側に凸面を向けた正メニスカスレンズである。第４レンズＬ４は、像面側に凸面を向けた正メニスカスレンズである。第５レンズＬ５は、物体側に凹面を向けた負メニスカスレンズである。
【００７２】
非球面は、第１レンズＬ１〜第５レンズＬ５のすべてのレンズの両面に設けられている。
【００７３】
次に、実施例２にかかる撮像光学系について説明する。図３は実施例２にかかる撮像光学系の無限遠物点合焦時の光学構成を示す光軸に沿う断面図である。
【００７４】
図４は実施例２にかかる撮像光学系の無限遠物点合焦時における球面収差（ＳＡ）、非点収差（ＡＳ）、歪曲収差（ＤＴ）、倍率色収差（ＣＣ）を示す図である。
【００７５】
実施例２の撮像光学系は、図３に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負の屈折力の第５レンズＬ５を有している。
【００７６】
第１レンズＬ１は、両凸正レンズである。第２レンズＬ２は、物体側に凸面を向けた負メニスカスレンズである。第３レンズＬ３は、像面側に凸面を向けた正メニスカスレンズである。第４レンズＬ４は、像面側に凸面を向けた正メニスカスレンズである。第５レンズＬ５は、物体側に凹面を向けた負メニスカスレンズである。
【００７７】
非球面は、第１レンズＬ１〜第５レンズＬ５のすべてのレンズの両面に設けられている。
【００７８】
次に、実施例３にかかる撮像光学系について説明する。図５は実施例３にかかる撮像光学系の無限遠物点合焦時の光学構成を示す光軸に沿う断面図である。
【００７９】
図６は実施例３にかかる撮像光学系の無限遠物点合焦時における球面収差（ＳＡ）、非点収差（ＡＳ）、歪曲収差（ＤＴ）、倍率色収差（ＣＣ）を示す図である。
【００８０】
実施例３の撮像光学系は、図５に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負の屈折力の第５レンズＬ５を有している。
【００８１】
第１レンズＬ１は、両凸正レンズである。第２レンズＬ２は、物体側に凸面を向けた負メニスカスレンズである。第３レンズＬ３は、像面側に凸面を向けた正メニスカスレンズである。第４レンズＬ４は、像面側に凸面を向けた正メニスカスレンズである。第５レンズＬ５は、物体側に凹面を向けた負メニスカスレンズである。
【００８２】
非球面は、第１レンズＬ１〜第５レンズＬ５のすべてのレンズの両面に設けられている。
【００８３】
次に、実施例４にかかる撮像光学系について説明する。図７は実施例４にかかる撮像光学系の無限遠物点合焦時の光学構成を示す光軸に沿う断面図である。
【００８４】
図８は実施例４にかかる撮像光学系の無限遠物点合焦時における球面収差（ＳＡ）、非点収差（ＡＳ）、歪曲収差（ＤＴ）、倍率色収差（ＣＣ）を示す図である。
【００８５】
実施例４の撮像光学系は、図７に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負の屈折力の第５レンズＬ５を有している。
【００８６】
第１レンズＬ１は、両凸正レンズである。第２レンズＬ２は、物体側に凸面を向けた負メニスカスレンズである。第３レンズＬ３は、像面側に凸面を向けた正メニスカスレンズである。第４レンズＬ４は、像面側に凸面を向けた正メニスカスレンズである。第５レンズＬ５は、物体側に凹面を向けた負メニスカスレンズである。
【００８７】
非球面は、第１レンズＬ１〜第５レンズＬ５のすべてのレンズの両面に設けられている。
【００８８】
次に、実施例５にかかる撮像光学系について説明する。図９は実施例５にかかる撮像光学系の無限遠物点合焦時の光学構成を示す光軸に沿う断面図である。
【００８９】
図１０は実施例５にかかる撮像光学系の無限遠物点合焦時における球面収差（ＳＡ）、非点収差（ＡＳ）、歪曲収差（ＤＴ）、倍率色収差（ＣＣ）を示す図である。
【００９０】
実施例５の撮像光学系は、図９に示すように、物体側より順に、開口絞りＳと、正屈折力の第１レンズＬ１と、負屈折力の第２レンズＬ２と、正屈折力の第３レンズＬ３と、正屈折力の第４レンズＬ４と、負の屈折力の第５レンズＬ５を有している。
【００９１】
第１レンズＬ１は、両凸正レンズである。第２レンズＬ２は、物体側に凸面を向けた負メニスカスレンズである。第３レンズＬ３は、両凸正レンズである。第４レンズＬ４は、像面側に凸面を向けた正メニスカスレンズである。第５レンズＬ５は、物体側に凹面を向けた負メニスカスレンズである。
【００９２】
非球面は、第１レンズＬ１〜第５レンズＬ５のすべてのレンズの両面に設けられている。
【００９３】
次に、上記各実施例の撮像光学系を構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、＊印は非球面、ＢＦはバックフォーカスを示している。
【００９４】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
また、Ｅは１０のべき乗を表している。なお、これら諸元値の記号は後述の実施例の数値データにおいても共通である。
【００９５】
数値実施例１
単位  mm
面データ
面番号      r            d         nd        νd  
物面        ∞           ∞   
1(絞り)     ∞         -0.27
2*         1.573        0.59     1.53368    55.90
3*       -12.787        0.05
4*         8.861        0.35     1.61420    25.59
5*         1.809        0.56
6*       -46.595        0.50     1.54455    55.96
7*        -5.081        0.24
8*        -3.878        0.54     1.54455    55.96
9*        -1.167        0.52
10*       -0.974        0.33     1.53368    55.90
11*       -7.346        0.31
12          ∞          0.30     1.56100    56.10
13          ∞          0.46
像面
非球面データ
第２面
k=0.266
A4=7.59525e-03,A6=-1.02001e-02,A8=3.72829e-02,A10=6.21358e-04,A12=-4.57308e-03,
A14=-5.46749e-03,A16=4.18012e-02  
第３面
k=-364.435
A4=6.15772e-02,A6=-4.40576e-02,A8=7.68822e-02,A10=7.17069e-03,A12=3.44303e-02,
A14=6.83276e-02,A16=-7.11259e-02  
第４面
k=-148.671
A4=2.70744e-02,A6=-8.95031e-02,A8=1.07982e-01,A10=-3.11827e-02,A12=-2.40581e-02,
A14=-5.78447e-02,A16=6.54972e-02  
第５面
k=1.433
A4=-7.56908e-02,A6=4.50299e-02,A8=-6.01936e-02,A10=2.72752e-03,A12=-1.41299e-02,
A14=-8.03337e-03,A16=3.55074e-02  
第６面
k=-499.563
A4=-1.95292e-02,A6=-3.12110e-02,A8=3.93990e-02,A10=-7.99456e-03,A12=5.59480e-04,
A14=7.83810e-04,A16=-2.26466e-03  
第７面
k=-3.689
A4=1.21945e-02,A6=-5.69952e-02,A8=-1.49426e-02,A10=1.89989e-02,A12=4.70792e-04,
A14=1.38594e-04,A16=-2.70536e-05  
第８面
k=0.270
A4=-6.00844e-02,A6=9.17760e-02,A8=-1.06396e-01,A10=3.56432e-02,A12=-2.83196e-03,
A14=1.94412e-04,A16=1.98680e-04  
第９面
k=-0.580
A4=1.97019e-02,A6=7.15816e-02,A8=-1.78058e-02,A10=2.34966e-03,A12=1.35898e-04,
A14=1.98586e-05,A16=-1.63933e-05  
第１０面
k=-1.632
A4=5.16824e-02,A6=-7.76401e-03,A8=8.56178e-04,A10=1.20306e-04,A12=-2.75987e-05,
A14=7.57847e-07,A16=-1.87768e-07  
第１１面
k=-261.458
A4=-2.49668e-02,A6=2.22493e-03,A8=-8.69234e-04,A10=2.89833e-05,A12=9.64007e-06,
A14=-1.21306e-06,A16=2.29917e-08  
BF (in air)        0.98 
全長 (in air)      4.66 
焦点距離           4.09   
【００９６】
数値実施例２
単位  mm
面データ
面番号      r            d         nd        νd  
物面        ∞           ∞   
1(絞り)     ∞         -0.27
2*         1.572        0.59     1.53368    55.90
3*       -12.666        0.05
4*         8.842        0.35     1.61420    25.59
5*         1.810        0.57
6*       -45.229        0.50     1.54455    55.96
7*        -5.119        0.25
8*        -3.877        0.54     1.54455    55.96
9*        -1.167        0.51
10*       -0.977        0.30     1.53368    55.90
11*       -7.815        0.31
12          ∞          0.30     1.56100    56.10
13          ∞          0.48 
像面
非球面データ
第２面
k=0.266
A4=7.63435e-03,A6=-1.01217e-02,A8=3.73471e-02,A10=5.92083e-04,A12=-4.76977e-03,
A14=-5.93880e-03,A16=4.08900e-02  
第３面
k=-388.712
A4=6.15087e-02,A6=-4.42480e-02,A8=7.68094e-02,A10=7.36007e-03,A12=3.50737e-02, 
A14=6.97326e-02,A16=-6.84581e-02  
第４面
k=-156.576
A4=2.70040e-02,A6=-8.95198e-02,A8=1.07800e-01,A10=-3.17081e-02,A12=-2.51934e-02,
A14=-6.00225e-02,A16=6.15611e-02  
第５面
k=1.427
A4=-7.59622e-02,A6=4.50272e-02,A8=-5.96818e-02,A10=3.89510e-03,A12=-1.24254e-02,
A14=-6.37859e-03,A16=3.57909e-02  
第６面
k=-389.643
A4=-1.96419e-02,A6=-3.10725e-02,A8=3.93364e-02,A10=-8.01745e-03,A12=5.74512e-04,
A14=7.97846e-04,A16=-2.25615e-03  
第７面
k=-3.938
A4=1.24201e-02,A6=-5.68043e-02,A8=-1.48838e-02,A10=1.90043e-02,A12=4.61828e-04,
A14=1.32554e-04,A16=-3.01379e-05  
第８面
k=0.248
A4=-5.99265e-02,A6=9.15381e-02,A8=-1.06458e-01,A10=3.56322e-02,A12=-2.82329e-03,
A14=2.18198e-04,A16=2.59565e-04  
第９面
k=-0.579
A4=1.96900e-02,A6=7.15887e-02,A8=-1.78238e-02,A10=2.34471e-03,A12=1.35879e-04,
A14=1.99978e-05,A16=-1.62906e-05  
第１０面
k=-1.634
A4=5.16322e-02,A6=-7.78135e-03,A8=8.52855e-04,A10=1.19547e-04,A12=-2.78634e-05,
A14=6.32418e-07,A16=-2.79468e-07  
第１１面
k=-220.712
A4=-2.43054e-02,A6=2.27473e-03,A8=-8.63913e-04,A10=2.93504e-05,A12=9.62884e-06,
A14=-1.22479e-06,A16=2.00414e-08  
BF (in air)        0.98 
全長 (in air)      4.64 
焦点距離           4.08   
【００９７】
数値実施例３
単位  mm
面データ
面番号      r            d         nd        νd  
物面        ∞           ∞   
1(絞り)     ∞         -0.31
2*         1.582        0.71     1.53368    55.90
3*       -14.734        0.03
4*         9.403        0.34     1.61420    25.59
5*         1.809        0.55
6*       -35.816        0.55     1.54455    55.96
7*        -5.163        0.28
8*        -3.994        0.58     1.54455    55.96
9*        -1.168        0.49
10*       -1.000        0.34     1.53368    55.90
11*       -9.685        0.31
12          ∞          0.30     1.51633    64.14
13          ∞          0.54 
像面
非球面データ
第２面
k=0.253
A4=7.90191e-03,A6=-1.24560e-02,A8=3.07739e-02  
第３面
k=-571.080
A4=6.24043e-02,A6=-4.81337e-02,A8=7.56600e-02  
第４面
k=-191.722
A4=2.11486e-02,A6=-8.74044e-02,A8=9.53130e-02,A10=-4.43688e-02  
第５面
k=1.395
A4=-7.94063e-02,A6=4.11414e-02,A8=-5.08455e-02,A10=2.81381e-02  
第６面
k=0.000
A4=-1.93547e-02,A6=-2.80371e-02,A8=4.12299e-02,A10=-8.41747e-03  
第７面
k=-3.638
A4=1.21548e-02,A6=-5.72345e-02,A8=-1.54447e-02,A10=1.81783e-02  
第８面
k=1.119
A4=-5.92396e-02,A6=9.68108e-02,A8=-1.06343e-01,A10=3.51129e-02,A12=-2.24308e-03
第９面
k=-0.577
A4=1.81164e-02,A6=7.11401e-02,A8=-1.79679e-02 ,A10=2.28202e-03,A12=8.12810e-05
第１０面
k=-1.706
A4=4.73943e-02,A6=-8.21518e-03,A8=8.52622e-04,A10=1.30597e-04,A12=-1.79516e-05,
A14=-3.82657e-06  
第１１面
k=-585.788
A4=-2.20897e-02,A6=2.54385e-03,A8=-8.23710e-04,A10=3.35880e-05,A12=1.05741e-05,
A14=-1.46047e-06  
BF (in air)        1.05 
全長 (in air)      4.94 
焦点距離           4.37   
【００９８】
数値実施例４
単位  mm
面データ
面番号      r            d         nd        νd  
物面        ∞           ∞   
1(絞り)     ∞         -0.23
2*         1.554        0.70     1.53368    55.90
3*       -12.927        0.02
4*         8.964        0.34     1.61420    25.59
5*         1.816        0.49
6*       -50.568        0.55     1.54455    55.96
7*        -5.071        0.25
8*        -4.044        0.56     1.54455    55.96
9*        -1.167        0.52
10*       -1.032        0.30     1.53368    55.90
11*      -10.746        0.31
12          ∞          0.30     1.51633    64.14
13          ∞          0.32 
像面
非球面データ
第２面
k=0.250
A4=7.95342e-03,A6=-1.27528e-02,A8=3.00281e-02  
第３面
k=-464.767
A4=6.21930e-02,A6=-4.63585e-02,A8=7.77212e-02  
第４面
k=-175.971
A4=2.16665e-02,A6=-8.82342e-02,A8=9.43827e-02,A10=-4.27755e-02  
第５面
k=1.389
A4=-7.83921e-02,A6=4.16890e-02,A8=-5.26214e-02,A10=2.33161e-02  
第６面
k=0.000
A4=-2.12686e-02,A6=-2.93123e-02,A8=4.07694e-02,A10=-8.38040e-03  
第７面
k=-3.923
A4=1.23522e-02,A6=-5.70700e-02,A8=-1.53639e-02,A10=1.81990e-02  
第８面
k=1.427
A4=-6.01029e-02,A6=9.64419e-02,A8=-1.06614e-01,A10=3.50262e-02,A12=-2.29025e-03
第９面
k=-0.577
A4=1.85483e-02,A6=7.12409e-02,A8=-1.79445e-02,A10=2.27696e-03,A12=8.09449e-05  
第１０面
k=-1.661
A4=4.64844e-02,A6=-8.28990e-03,A8=8.56243e-04,A10=1.35252e-04,A12=-1.62567e-05,
A14=-3.36708e-06  
第１１面
k=-2709.502
A4=-2.62873e-02,A6=2.01195e-03,A8=-8.80401e-04,A10=2.69088e-05,A12=9.46183e-06,
A14=-1.69050e-06  
BF (in air)        0.83 
全長 (in air)      4.56 
焦点距離           3.85   
【００９９】
数値実施例５
単位  mm
面データ
面番号      r            d         nd        νd  
物面        ∞           ∞   
1(絞り)     ∞         -0.24
2*         1.699        0.58     1.53368    55.90
3*        -7.058        0.07
4*        11.931        0.42     1.61420    25.59
5*         1.752        0.46
6*        25.807        0.62     1.54455    55.96
7*        -5.266        0.33
8*        -3.753        0.49     1.54455    55.96
9*        -1.189        0.51
10*       -0.978        0.33     1.53368    55.90
11*       -7.490        0.31
12          ∞          0.30     1.51633    64.14
13          ∞          0.40 
像面
非球面データ
第２面
k=0.247
A4=4.94043e-03,A6=-1.31594e-02,A8=2.42854e-02  
第３面
k=-167.249
A4=5.08501e-02,A6=-4.23782e-02,A8=4.40312e-02  
第４面
k=1.003
A4=3.07590e-02,A6=-7.67965e-02,A8=4.99489e-02,A10=-1.10357e-02  
第５面
k=1.199
A4=-7.86092e-02,A6=3.22268e-02,A8=-3.41315e-02,A10=6.66634e-03  
第６面
k=0.000
A4=-2.24071e-02,A6=-3.31777e-02,A8=5.00376e-02,A10=-1.17495e-02  
第７面
k=3.572
A4=-1.23349e-03,A6=-5.67000e-02,A8=-1.22393e-02,A10=1.80614e-02  
第８面
k=-0.144
A4=-8.27357e-02,A6=9.56499e-02,A8=-1.07545e-01,A10=3.47540e-02,A12=-1.96085e-03
第９面
k=-0.549
A4=2.51205e-02,A6=7.11776e-02,A8=-1.90008e-02,A10=2.15991e-03,A12=2.98213e-04
第１０面
k=-1.967
A4=4.26754e-02,A6=-9.40301e-03,A8=1.20210e-03,A10=2.45029e-04,A12=-5.47881e-05,
A14=-8.08223e-07  
第１１面
k=-254.860
A4=-2.31454e-02,A6=1.98267e-03,A8=-9.10680e-04,A10=5.45014e-05,A12=1.54330e-05,
A14=-2.59768e-06  
BF (in air)        0.92
全長 (in air)      4.73 
各群焦点距離       4.09   
【０１００】
また、以下に条件式対応値を掲げる。
式no                       実施例1   実施例2   実施例3   実施例4   実施例5
1    f/f5                  -1.91      -1.92     -2.06     -1.78     -1.91 
2    (r10+r11)/(r10-r11)   -1.31      -1.29     -1.23     -1.21     -1.30 
3    (r2+r3)/(r2-r3)       -0.78      -0.78     -0.81     -0.79     -0.61 
4    (r4+r5)/(r4-r5)        1.51       1.51      1.48      1.51      1.34 
5    (r8+r9)/(r8-r9)        1.86       1.86      1.83      1.81      1.93 
6    f3/f4                  3.64       3.69      3.89      3.66      2.70 
7    αi                   27.41      28.29     28.95     25.89     28.19 
A    φmax/2Y               1.67       1.66      1.77      1.64      1.69 
B    1/ν2-1/ν1            0.02       0.02      0.02      0.02      0.02
【０１０１】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１０２】
図１１〜図１３に本発明による結像光学系をデジタルカメラの撮影光学系４１に組み込んだ構成の概念図を示す。図１１はデジタルカメラ４０の外観を示す前方斜視図、図１２は同後方斜視図、図１３はデジタルカメラ４０の光学構成を示す断面図である。
【０１０３】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１の撮像光学系４８を通して撮影が行われる。
【０１０４】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１０５】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０１０６】
このように構成されたデジタルカメラ４０によれば、撮影光学系４１の構成枚数を少なくした小型化・薄型化の撮像光学系を有する電子撮像装置が実現できる。なお、本発明は、上述した沈胴式のデジタルカメラに限られず、屈曲光学系を採用する折り曲げ式のデジタルカメラにも適用できる。
【０１０７】
次に、本発明の結像光学系が対物光学系として内蔵された情報処理装置の一例であるパソコンを図１４〜図１６に示す。図１４はパソコン３００のカバーを開いた状態の前方斜視図、図１５はパソコン３００の撮影光学系３０３の断面図、図１６は図１４の側面図である。図１４〜図１６に示されるように、パソコン３００は、キーボード３０１と、情報処理手段や記録手段と、モニター３０２と、撮影光学系３０３とを有している。
【０１０８】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１０９】
この撮影光学系３０３は、撮影光路３０４上に、例えば実施例１の撮像光学系からなる対物光学系１００と、像を受光する電子撮像素子チップ１６２とを有している。これらはパソコン３００に内蔵されている。
【０１１０】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図１４には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１１１】
次に、本発明の結像光学系が撮影光学系として内蔵された情報処理装置の一例である電話、特に持ち運びに便利な携帯電話を図１７に示す。図１７（a）は携帯電話４００の正面図、図１７（b）は側面図、図１７（c）は撮影光学系４０５の断面図である。図１７（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１１２】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１１３】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１の撮像光学系が用いられる。これらは、携帯電話４００に内蔵されている。
【０１１４】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１１５】
なお、本発明は、その趣旨を逸脱しない範囲で様々な変形例をとることができる。
【産業上の利用可能性】
【０１１６】
以上のように、本発明は、レンズの最大有効径が小さく、諸収差を良好に補正した撮像光学系に有用である。
【符号の説明】
【０１１７】
Ｇ１          第１レンズ群
Ｇ２          第２レンズ群
Ｇ３          第３レンズ群
Ｇ４          第４レンズ群
Ｇ５          第５レンズ群
Ｌ１〜Ｌ５        各レンズ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          撮像光学系
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
0005592708.tif 000002
【図２】
0005592708.tif 000003
【図３】
0005592708.tif 000004
【図４】
0005592708.tif 000005
【図５】
0005592708.tif 000006
【図６】
0005592708.tif 000007
【図７】
0005592708.tif 000008
【図８】
0005592708.tif 000009
【図９】
0005592708.tif 000010
【図１０】
0005592708.tif 000011
【図１１】
0005592708.tif 000012
【図１２】
0005592708.tif 000013
【図１３】
0005592708.tif 000014
【図１４】
0005592708.tif 000015
【図１５】
0005592708.tif 000016
【図１６】
0005592708.tif 000017
【図１７】
0005592708.tif 000018